(57)【要約】【課題】  絵柄を自由に組み合わせることができ、全体の絵柄を自由に変更し得る、表示板を提供する。【解決手段】  絵柄を有する、少なくとも一枚の透明板２と、絵柄を有し、透明板２に対し剥離可能に接着される部品板３とを備え、透明板２の任意の位置に部品板３を取り付けることで全体の絵柄を自由に変更し得ることを特徴とする表示板１を構成する。【選択図】  図１
2011128301.tif 000002
【特許請求の範囲】
【請求項１】
絵柄を有する、少なくとも一枚の透明板と、
絵柄を有し、前記透明板に対し剥離可能に接着される部品板と、を備え、
前記透明板の任意の位置に前記部品板を取り付けることで全体の絵柄を自由に変更し得る
ことを特徴とする、表示板。
【請求項２】
前記透明板及び前記部品板における絵柄は不透明な塗料により描画されている、請求項１に記載の表示板。
【請求項３】
前記透明板における絵柄は裏側に描画され、
前記部品板における絵柄は表側に描画され、
前記部品板は前記透明板の裏側に接着される、請求項１または２に記載の表示板。
【請求項４】
前記透明板における絵柄は表側に描画され、
前記部品板における絵柄は裏側に描画され、
前記部品板は前記透明板の裏側に接着される、請求項１または２に記載の表示板。
【請求項５】
前記透明板を複数有し、これらの透明板のうち、重ねた際に下側に位置するものほど明度の高い色で描画されている、請求項１から３のいずれかに記載の表示板。
【発明の詳細な説明】
【技術分野】
【０００１】
本発明は、絵柄が描画された複数の板を組み合わせることで全体の絵柄を変更し得る表示板に関するものである。
【背景技術】
【０００２】
従来、透明板を含む複数の板を組み合わせることで絵柄を変更し得る表示板が知られている。
例えば、特許文献１には、複数の展示用透明板を所定の間隔をあけて保持する枠を設け、少なくとも最前面の展示用透明板を前方に湾曲させたことを特徴とする立体飾り枠が開示されている。
【０００３】
また、特許文献２には、複数の透明面状部材の少なくとも二枚以上に絵柄部を設け、これらの透明面状部材を平行に重ね合わせることで、絵柄部を遠近感により立体的に表現する立体表示装置が開示されている。
【０００４】
特許文献３には、額縁の回り縁に写真装飾体と写真とを重ね合わせて設け、この写真装飾体は、表側透明板と裏側透明板とを備えるとともにこの表側透明板と裏側透明板間で且つ前記写真の被写体の周りで押し花を挟んで構成された、写真装飾構造が開示されている。
【０００５】
さらに、特許文献４には、ポストカード等が載せられてカッター等によってポストカード等を切断することにより切断片が得られるカッティング用マットと、ポストカード等から切断された切断片が載せられて、モデラ等によってこすることにより、切断片を湾曲状態または凹凸状にする切断片湾曲用マットとが積層されて一体化されている、立体絵画用マットが開示されている。
【先行技術文献】
【特許文献】
【０００６】
【特許文献１】特開２００７−３３０７４５号公報
【特許文献２】特開２００５−１０３４６号公報
【特許文献３】特開２００４−９８４９７号公報
【特許文献４】特開平９−９５１００号公報
【発明の概要】
【発明が解決しようとする課題】
【０００７】
以上の特許文献では、いずれも透明板を複数枚積層することで絵柄、写真等を装飾するものであるが、積層する複数枚の透明板の大きさが同じであるため、絵柄を自由に組み合わせることができない。
【０００８】
本発明は、以上の点に鑑み、絵柄を自由に組み合わせることができ、全体の絵柄を自由に変更し得る、表示板を提供することを目的としている。
【課題を解決するための手段】
【０００９】
上記目的は、本発明の構成によれば、絵柄を有する、少なくとも一枚の透明板と、絵柄を有し、透明板に対し剥離可能に接着される部品板を備え、透明板の任意の位置に部品板を取り付けることで全体の絵柄を自由に変更し得ることを特徴とする表示板により、達成される。
【００１０】
本発明による表示板は、好ましくは、透明板及び部品板における絵柄は不透明な塗料により描画されている。
【００１１】
本発明による表示板は、透明板における絵柄が裏側に描画され、部品板における絵柄が表側に描画され、部品板が透明板の裏側に接着されるものでもよい。
【００１２】
また、本発明による表示板は、透明板における絵柄が表側に描画され、部品板における絵柄が裏側に描画され、部品板が透明板の裏側に接着されるものでもよい。
【００１３】
本発明による表示板は、透明板を複数有し、これらの透明板のうち、重ねた際に下側に位置するものほど明度の高い色で描画されているものでもよい。
【発明の効果】
【００１４】
上記構成によれば、絵柄を有する透明板の任意の位置に絵柄を有する部品板を接着することで全体の絵柄を自由に変更し得る。また、部品板は透明板に対し剥離可能であるから、何度でも接着位置を変更し、全体の絵柄を変更することができる。
【００１５】
透明板及び部品板における絵柄は不透明な塗料により描画されていることにより、裏側に位置する板の絵柄が表側に位置する板の絵柄に隠れ、表側に位置する板における絵柄のない透明部分においてのみ表側から視認することができるため、裏側に位置する板における印刷物の一部が表側に位置する板における絵柄のない透明部分から覗いているように見えるという視覚的効果を得ることができる。
【００１６】
透明板における絵柄が裏側に描画され、部品板における絵柄が表側に描画され、部品板が透明板の裏側に接着される場合には、部品板を透明板に接着した際にそれぞれの板の描画部分が接触し、それぞれの絵柄の間には印刷の厚み分、すなわち数ミクロン程度の、実質的に無視できる厚みしか存在しないから、表側から視認した場合には、透明板における絵柄と部品板における絵柄とが一体となって一枚の絵柄であるように見えるという視覚的効果を得ることができる。
【００１７】
透明板における絵柄が表側に描画され、部品板における絵柄が裏側に描画され、部品板が透明板の裏側に接着される場合には、部品板を透明板に接着した際にそれぞれの板の描画部分が接触せず、すなわち接着面と描画面とが板の逆側に位置することとなるから、接着剤により描画が剥離してしまう可能性を排除することができる。
【００１８】
透明板を複数有し、これらの透明板のうち、重ねた際に下側に位置するものほど明度の高い色で描画されている場合には、透明板を複数枚重ねることにより絵柄の明度が落ちてしまうという問題を解消することができる。
【００１９】
このようにして、本発明によれば、簡単な構成により、絵柄を自由に組み合わせることができ、全体の絵柄を自由に変更し得る、表示板を提供することができる。
【図面の簡単な説明】
【００２０】
【図１】本発明の表示板の実施形態の構成を示す分解斜視図である。
【図２】図１の表示板における透明板と部品板との組み合わせ態様を示す側面図であり、（Ａ）は第一実施形態、（Ｂ）は第二実施形態、（Ｃ）は第三実施形態、（Ｄ）は第四実施形態、（Ｅ）は第五実施形態、（Ｆ）は第六実施形態、（Ｇ）は第七実施形態である。
【発明を実施するための形態】
【００２１】
以下、図面に示した実施形態に基づいて本発明を詳細に説明する。
【００２２】
図１は、本発明の表示板の実施形態の構成を示している。
表示板１は、それぞれ異なる絵柄を有する四枚の透明板２と、絵柄を有し、透明板２に対し剥離可能に接着される部品板３とを備え、透明板２の任意の位置に部品板３を取り付けることで全体の絵柄を自由に変更し得るよう構成されている。
【００２３】
四枚の透明板２は、アクリル、ポリカーボネイト、塩化ビニル、ＰＥＴ等の透明の樹脂またはガラス等の透明素材から成る、厚さ０．２ミリ〜１センチ前後の板またはシートであって、表側から順に同じ大きさの透明板２ａ，２ｂ，２ｃ，２ｄより成る。それぞれの透明板２には、関連性がありかつ異なる絵柄が印刷等の手段により描画されている。具体的には、最背面の透明板２ｄには背景画が描画され、次の透明板２ｃには部屋の奥壁やこれに付随する物品が描画され、続いて透明板２ｂには部屋の側壁やこれに付随する物品が描画され、手前の透明板２ａには部屋の手前の壁やこれに付随する物品が描画される。それぞれの絵は不透明な塗料により描画されており、かつ、外形は共通であるため、これらを順に重ねた際には、部屋が立体的に成り立っていく様子を表すことができる。また、描画されている部分以外は透明であるため、奥の透明板に描かれた絵柄が視認でき、それぞれの絵柄の重なりにより物品同士の立体的な位置関係を表すことができる。さらに、複数の透明板２の絵柄は、重ねた際に下側に位置するものほど明度の高い色で描画されている。透明板２は透明であるが、反射作用により、奥の透明板ほど届く光の量が減少するところ、上述のように奥の絵柄の明度を高くすることにより、透明板を複数枚重ねることで絵柄の明度が落ちてしまうという問題を解消することができる。
【００２４】
部品板３は、全体の絵柄における一つの物品、例えば一人の人物が描かれたパーツである。これは、透明板と同様の材質で成る透明な板に不透明な塗料により描かれ、その絵柄の周囲に余白を残して絵柄が切り抜かれたものでもよいし、絵柄の輪郭において絵柄が切り抜かれ、部品板３自体が結果的に不透明なものであってもよい。ただし、部品板３の輪郭部分が透明な場合には、端部における屈折により影ができ、他の透明板２と重ねた際に輪郭が視認されやすくなるので、重ねた際に部品板３の絵柄が透明板２の絵柄と同化して見えるようにするためには、部品板３の輪郭部分まで絵柄が及んでいるような態様とすることが望ましい。部品板３の厚みは、透明板２よりも薄く構成されることが望ましい。
【００２５】
部品板３は、透明板２に剥離可能に接着されるよう構成されている。具体的には、例えば、部品板３の一方の面に易剥離性の接着剤が塗布されている。部品板３を透明板２の裏面に接着した際に部品板３の絵柄を視認できるようにするためには透明な接着剤を用いることが好ましい。また、部品板３を透明板２の様々な位置に貼り付けたり、また剥がしたりするために、剥がした後に透明板２に接着剤が残らないような接着剤を使用することが望ましい。
【００２６】
以上のような透明板２及び部品板３によれば、透明板２を重ねていくことにより絵柄が変化し、完成していく様子を楽しむことができるのみならず、部品板３を透明板２の任意の位置に貼り付け、自由に絵柄を変更するといった楽しみ方を提供することができる。透明板の絵柄に窓のような透明部分を作っておくことにより、この窓部分の裏側に部品板３を貼り付けた場合には、窓からキャラクターが覗いているような図柄を構成することができ、キャラクターがどこにいるか探して楽しむといった遊び方を提供することができる。
【００２７】
次に、以上のような透明板と部品板との貼り付けの様々な態様について説明する。図２は、透明板と部品板との貼り付け態様のバリエーションを示す側面図であり、（Ａ）は第一実施形態、（Ｂ）は第二実施形態、（Ｃ）は第三実施形態、（Ｄ）は第四実施形態、（Ｅ）は第五実施形態、（Ｆ）は第六実施形態、（Ｇ）は第七実施形態である。
【００２８】
図２（Ａ）に示す第一実施形態の貼り付け方法では、透明板２１の裏面に印刷５が施されており、部品板３１は表面に印刷６が施されている。また、部品板３１は印刷面の上側（表面側）に接着剤７が塗布されている。このように構成された透明板２１及び部品板３１によれば、透明板２１のうち印刷が施されていない窓状の部分に裏側から部品板３１を貼り付けることにより、裏側に位置する部品板３１の絵柄の一部が表側に位置する透明板２１の絵柄に隠れ、表側に位置する透明板２１における絵柄のない透明部分においてのみ表側から視認することができるため、部品板３１のキャラクターが窓から覗いているような視覚的効果を得ることができる。さらに、部品板３１を透明板２１に接着した際にそれぞれの板の描画部分が接触し、それぞれの絵柄の間には印刷の厚み分、すなわち数ミクロン程度の、実質的に無視できる厚みしか存在しないから、表側から視認した場合には、透明板２１における絵柄と部品板３１における絵柄とが一体となって、一枚の絵柄であるように見えるという視覚的効果を得ることができる。そのため、部品板３１に描画されたキャラクターがどこにいるか探し出すことが困難になるから、遊戯性が向上する。この実施形態において、透明板２１の印刷面に接着がなされるため、容易に剥離してしまうことのないような印刷を施すことが好ましい。
【００２９】
図２（Ｂ）に示す第二実施形態の貼り付け方法では、透明板２２ａ，２２ｂの裏面に印刷５ａ，５ｂが施されており、部品板３２は表面に印刷６が施されている。また、部品板３２は裏側に接着剤７が塗布されている。このように構成された透明板２２ａ，２２ｂ及び部品板３２によれば、透明板２２ｂにおける、透明板２２ａのうち印刷が施されていない窓状の部分に対応する位置に、表側から部品板３２を貼り付けることにより、裏側に位置する部品板３２の絵柄の一部が表側に位置する透明板２２ａの絵柄に隠れ、表側に位置する透明板２２ａにおける絵柄のない透明部分においてのみ表側から視認することができるため、部品板３２のキャラクターが窓から覗いているような視覚的効果を得ることができる。さらに、部品板３２と透明板２２ａの描画部分が接触し、それぞれの絵柄の間には印刷の厚み分、すなわち数ミクロン程度の、実質的に無視できる厚みしか存在しないから、表側から視認した場合には、透明板２２ａにおける絵柄と部品板３２における絵柄とが一体となって、一枚の絵柄であるように見えるという視覚的効果を得ることができる。そのため、部品板３２に描画されたキャラクターがどこにいるか探し出すことが困難になるから、遊戯性が向上する。ただし、部品板３２は透明板２２ｂに貼り付けられているから、透明板２２ａとの位置関係を調整することについて多少困難性が生じる。この実施形態においては、印刷面に接着がなされることはないから、接着剤により印刷が剥離してしまうことを防ぐことができる。
【００３０】
図２（Ｃ）に示す第三実施形態の貼り付け方法では、透明板２３の表面に印刷５が施されており、部品板３３は裏面に印刷６が施されている。また、部品板３３は印刷６の裏側に接着剤７が塗布されている。このように構成された透明板２３及び部品板３３によれば、透明板２３に表側から部品板３３を貼り付けることにより、透明板２３の印刷に関わらず部品板３３を配置することができ、透明板２３における任意の位置に部品板３３のキャラクターが存在するような視覚的効果を得ることができる。また、接着剤の厚みは透明板２３や部品板３３の厚みに比して無視し得る程度であるから、部品板３２と透明板２２ａの描画部分が接触し、それぞれの絵柄の間には印刷の厚み分、すなわち数ミクロン程度の、実質的に無視できる厚みしか存在しないから、表側から視認した場合には、透明板２３における絵柄と部品板３３における絵柄とが一体となって、一枚の絵柄であるように見えるという視覚的効果を得ることができる。ただし、透明板２３を最表面に配置した場合には、部品板３３の厚みが表側から視認できてしまうから、容易に探し出すことができてしまう。また、この実施形態において、透明板２３の印刷面に接着がなされるため、容易に剥離してしまうことのないような印刷を施すことが好ましい。
【００３１】
図２（Ｄ）に示す第四実施形態の貼り付け方法では、透明板２４の表面に印刷５が施されており、部品板３４は表面に印刷６が施されている。また、部品板３４は裏側に接着剤７が塗布されている。このように構成された透明板２４及び部品板３４によれば、透明板２４に表側から部品板３４を貼り付けることにより、透明板２４の印刷に関わらず部品板３４を配置することができ、透明板２４における任意の位置に部品板３４のキャラクターが存在するような視覚的効果を得ることができる。ただし、透明板２４を最表面に配置した場合には、部品板３４の厚みが表側から視認できてしまうから、容易に探し出すことができてしまう。また、透明板２４の絵柄と部品板３４の絵柄との間には部品板３４の厚み分の段差が生じてしまうため、絵柄同士が一体的に見えにくいという問題がある。また、この実施形態において、透明板２４の印刷面に接着がなされるため、容易に剥離してしまうことのないような印刷を施すことが好ましい。
【００３２】
図２（Ｅ）に示す第五実施形態の貼り付け方法では、透明板２５の裏面に印刷５が施されており、部品板３５は裏面に印刷６が施されている。また、部品板３５は表側に接着剤７が塗布されている。このように構成された透明板２５及び部品板３５によれば、透明板２５に裏側から部品板３５を貼り付けることにより、裏側に位置する部品板３５の絵柄の一部が表側に位置する透明板２５の絵柄に隠れ、表側に位置する透明板２５における絵柄のない透明部分においてのみ表側から視認することができるため、部品板３５のキャラクターが窓から覗いているような視覚的効果を得ることができる。ただし、透明板２５の絵柄と部品板３５の絵柄との間には部品板３５の厚み分の段差が生じてしまうため、絵柄同士が一体的に見えにくいという問題がある。また、この実施形態において、透明板２５の印刷面に接着がなされるため、容易に剥離してしまうことのないような印刷を施すことが好ましい。
【００３３】
図２（Ｆ）に示す第六実施形態の貼り付け方法では、透明板２６の表面に印刷５が施されており、部品板３６は裏面に印刷６が施されている。また、部品板３６は表側に接着剤７が塗布されている。このように構成された透明板２６及び部品板３６によれば、透明板２６に裏側から部品板３６を貼り付けることにより、裏側に位置する部品板３６の絵柄の一部が表側に位置する透明板２６の絵柄に隠れ、表側に位置する透明板２６における絵柄のない透明部分においてのみ表側から視認することができるため、部品板３６のキャラクターが窓から覗いているような視覚的効果を得ることができる。ただし、透明板２６の絵柄と部品板３６の絵柄との間には透明板２６及び部品板３６の厚み分の段差が生じてしまうため、絵柄同士が一体的に見えにくいという問題がある。一方、この実施形態においては、印刷面に接着がなされることはないから、接着剤により印刷が剥離してしまうことを防ぐことができる。
【００３４】
図２（Ｇ）に示す第七実施形態の貼り付け方法では、透明板２７ａ，２７ｂの表面に印刷５ａ，５ｂが施されており、部品板３７は裏面に印刷６が施されている。また、部品板３７は表面に接着剤７が塗布されている。このように構成された透明板２７ａ，２７ｂ及び部品板３７によれば、透明板２７ａにおける印刷が施されていない窓状の部分に、裏側から部品板３７を貼り付けることにより、裏側に位置する部品板３７の一部が表側に位置する透明板２７ａの絵柄に隠れ、表側に位置する透明板２７ａにおける絵柄のない透明部分においてのみ表側から視認することができるため、部品板３７のキャラクターが窓から覗いているような視覚的効果を得ることができる。さらに、部品板３７と透明板２７ｂの描画部分が接触し、それぞれの絵柄の間には印刷の厚み分、すなわち数ミクロン程度の、実質的に無視できる厚みしか存在しないから、表側から視認した場合には、透明板２７ｂにおける絵柄と部品板３７における絵柄とが一体となって、一枚の絵柄であるように見えるという視覚的効果を得ることができる。そのため、部品板３７に描画されたキャラクターがどこにいるか探し出すことが困難になるから、遊戯性が向上する。また、この実施形態においては、印刷面に接着がなされることはないから、接着剤により印刷が剥離してしまうことを防ぐことができる。
【００３５】
本発明はその趣旨を逸脱しない範囲において様々な形態で実施することができる。
例えば、上述した実施形態においては、透明板２は四枚の透明板２ａ，２ｂ，２ｃ，２ｄから成るが、一枚以上、好ましくは二枚以上の任意の枚数の透明板により構成することができる。また、塗料は不透明なものに限られず、例えば手前の絵柄に半透明な塗料を用いた場合には、手前の絵柄と奥の絵柄とが渾然一体となり新たな絵柄となるなどの効果を得ることができる。さらに、透明板は完全に透明でなくてもよく、たとえば透明板の一部または全部に色付きの透明板や偏光板を使用することができる。偏光板を利用した場合には、透明板を９０度回転させて重ねることにより奥の透明板の絵柄が隠れるなどの視覚的効果を得ることができ、児童の科学的興味を抱かせることにも役立つ。また、部品板３を複数使用してもよい。この場合に、部品板３を透明板２に貼り付けるほか、部品板３同士を貼り付けることもできる。さらに、シールを組み合わせれば、部品板３のキャラクターに対し、いわゆる着せ替えやアバターの要素を付加することができる。この場合において、シールは透明板２や部品板３の厚みに比して無視し得る程度であるから、シールを貼り付けることによって透明板２の絵柄と部品板３の絵柄との間に段差が生じてしまうことはない。
【００３６】
また、上述した実施形態においては、それぞれの透明板に描かれた絵柄が立体的、空間的な関連性を有しているが、このほかにも、それぞれの絵柄が因果的、時間的関連性を有しているものであってもよい。例えば、奥の透明板の絵柄は種であって、手前に近づくほど大きな木に成長するといった表現が可能である。さらに、透明板の厚みを利用して、奥の透明板ほど物品が小さく描かれるといった、遠近法の表現を用いてもよい。このように奥の図柄ほど小さく描画するように構成した場合には、前後の図柄のずれにより奥の図柄が隠れずに見えてしまうといった事態も回避することができる。
【００３７】
さらに、上述した実施形態においては、部品板３を透明板２に接着するために接着剤を用いているが、この接着剤の代わりに易剥離テープを用いることもできる。また、部品板をゲル状の材質で構成することにより透明板に剥離可能に接着してもよいし、部品板と透明板の間に発生する静電気によって部品板を透明板に吸着させてもよい。その他、部品板自体を多少凹面に形成しておき、吸盤効果によって吸着させたり、磁性素材を利用し、磁力により吸着させたり、透明板２に透明ポケットを設けるとか、平面ファスナーを利用するといった物理的係合手段により部品板を透明板に固定してもよい。
【００３８】
以上述べたように、本発明によれば、簡単な構成により、絵柄を有する透明板の任意の位置に絵柄を有する部品板を接着することで全体の絵柄を自由に変更し得る、表示板を提供することができる。また、部品板は透明板に対し剥離可能であるから、何度でも接着位置を変更し、全体の絵柄を変更することができ、遊戯性を向上させると共に、幼児の情操教育や知能開発といった様々な用途において効果的に利用することができる。
【符号の説明】
【００３９】
１    表示板
２    透明板
３    部品板
５，６印刷
７    接着剤
【図１】
2011128301.tif 000003
【図２】
2011128301.tif 000004